(57)【要約】【課題】第１媒体よりも幅狭の第２媒体を第２導入口に良好に挿入できる、画像読取装置および搬送装置を提供する。【解決手段】画像読取装置１は、第１突出部１３１を備えている。第１突出部１３１は、共通搬送路１２５において平坦部３４から突出し、前後方向に延びている。そのため、カードＣＡを第１突出部１３１に沿わせて前後方向に移動させることができる。これにより、カードＣＡがカード導入口１２１に挿入されるときに、カードＣＡがカード導入口１２１からずれたり、カードＣＡの状態が前後方向に対して斜めになったりすることを抑制できる。【選択図】図６
2014099824.tif 000002
【特許請求の範囲】
【請求項１】
上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、
前記共通搬送路において前記上搬送ガイドまたは前記下搬送ガイドに突出して設けられ、前記第１方向に延びる突出部と、
前記第１搬送路を搬送される前記第１媒体及び前記第２搬送路を搬送される前記第２媒体の画像を読み取るように構成される読取部と、を備える、画像読取装置。
【請求項２】
前記突出部は、前記下搬送ガイドに設けられている、請求項１に記載の画像読取装置。
【請求項３】
前記突出部の前記第１方向における他方側の端部は、前記一方側ほど低い位置に位置し、
前記突出部の前記他方側の端縁は、前記読取部の上面と同じ高さに位置している、請求項２に記載の画像読取装置。
【請求項４】
前記突出部の前記第１方向における一方側の端部は、前記下搬送ガイドに対する突出量が前記一方側ほど小さい、請求項２または３に記載の画像読取装置。
【請求項５】
前記下搬送ガイドは、前記第１方向における一方側の端部が前記第１方向における他方側の端部よりも低くなるように傾斜している、請求項２〜４のいずれか一項に記載の画像読取装置。
【請求項６】
前記読取部を保持する保持部を備え、
前記保持部は、前記第１方向に直交する第２方向において前記第２導入口と同じ位置に前記第１方向における前記一方側に延出する延出部を備える、請求項２〜５のいずれか一項に記載の画像読取装置。
【請求項７】
前記突出部は、前記第１方向に直交する第２方向に間隔を空けて、一対設けられており、
前記筐体には、前記第１方向において前記読取部の他方側において、前記第２方向において一対の前記突出部よりも外側の位置に設けられ、前記下搬送ガイドから上方に突出する第２突出部が形成されている、請求項１〜６のいずれか一項に記載の画像読取装置。
【請求項８】
上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、
前記共通搬送路において、前記上搬送ガイドまたは前記下搬送ガイドに凹んで設けられ、前記第２導入口に連接し、前記第１方向に延びる溝部と、
前記第１搬送路を搬送される前記第１媒体及び前記第２搬送路を搬送される前記第２媒体の画像を読み取るように構成される読取部と、を備える、画像読取装置。
【請求項９】
上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、
前記共通搬送路において前記上搬送ガイドまたは前記下搬送ガイドに突出して設けられ、前記第１方向に延びる突出部と、を備える、搬送装置。
【請求項１０】
上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、
前記共通搬送路において、前記上搬送ガイドまたは前記下搬送ガイドに凹んで設けられ、前記第２導入口に連接し、前記第１方向に延びる溝部と、を備える、搬送装置。
【発明の詳細な説明】
【技術分野】
【０００１】
本発明は、画像読取装置および搬送装置に関する。
【背景技術】
【０００２】
特許文献１に開示されている画像読取装置は、筐体を備えている。筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの表面の画像が読み取られる。
【０００４】
また、特許文献１に開示されている画像読取装置は、シートよりも幅狭で肉厚のカードに描かれている画像をも読み取ることができる。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
ところが、シートを排出する排出口の一部がカード導入口を兼ねているので、カードがカード導入口とシート排出口におけるカード導入口以外の部分とに跨がって挿入されることがあり得る。そのため、カードがカード導入口からずれて挿入されたり、カードがカード導入口に斜めに挿入されたりするおそれがある。
【０００８】
本発明の目的は、シート等の第１媒体よりも幅狭のカード等の第２媒体を第２導入口に良好に挿入できる、画像読取装置および搬送装置を提供することである。
【課題を解決するための手段】
【０００９】
前記の目的を達成するため、本発明の一の局面に係る画像読取装置は、上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、前記共通搬送路において前記上搬送ガイドまたは前記下搬送ガイドに突出して設けられ、前記第１方向に延びる突出部と、前記第１搬送路を搬送される前記第１媒体及び前記第２搬送路を搬送される前記第２媒体の画像を読み取るように構成される読取部と、を備える。
【００１０】
この構成によれば、画像読取装置は、突出部を備えている。突出部は、共通搬送路において上搬送ガイドまたは下搬送ガイドから突出し、第１方向に延びている。そのため、第２媒体を突出部に沿わせて第１方向に移動させることができる。これにより、第２媒体が第２導入口に挿入されるときに、第２媒体が第２導入口からずれたり、第２媒体の状態が第１方向に対して斜めになったりすることを抑制できる。その結果、第２媒体を第２導入口に良好に挿入することができる。
【００１１】
突出部は、下搬送ガイドに設けられていることが好ましい。
【００１２】
第２媒体は、下搬送ガイド上を下搬送ガイドに接触して移動し得る。上搬送ガイドに突出部が設けられた構成では、突出部が下搬送ガイド上の第２媒体の上面よりも下方まで延びる必要がある。これに対し、突出部が下搬送ガイドに設けられる構成では、突出部が下搬送ガイドからわずかでも突出していればよい。よって、突出部が下搬送ガイドに設けられる構成では、突出部が上搬送ガイドに設けられる構成と比較して、突出部の高さを小さくすることができる。
【００１３】
突出部の第１方向における他方側の端部は、一方側ほど低い位置に位置し、突出部の他方側の端縁は、読取部の上面と同じ高さに位置していることが好ましい。
【００１４】
この構成によれば、第１方向の一方側へ搬送される第１媒体が突出部に衝突することを抑制できる。また、その第１媒体が突出部の第１方向における他方側の端部の上面に沿って第１方向の一方側へ進むほど下方に向くので、第１媒体のスムーズな排出を確保することができる。
【００１５】
突出部の第１方向における一方側の端部は、下搬送ガイドに対する突出量が一方側ほど小さくてもよい。
【００１６】
下搬送ガイドは、第１方向における一方側の端部が第１方向における他方側の端部よりも低くなるように傾斜していることが好ましい。
【００１７】
この構成によれば、第１媒体が下搬送ガイドに沿ってスムーズに排出される。
【００１８】
画像読取装置は、読取部を保持する保持部を備え、保持部は、第１方向に直交する第２方向において第２導入口と同じ位置に第１方向における一方側に延出する延出部を備えていてもよい。
【００１９】
この構成によれば、第２媒体が第２導入口に挿入されるときに、第２媒体は、保持部の延出部上に配置される。これにより、第２媒体の下搬送ガイドと保持部との間における引っ掛かりを抑制しつつ、第２媒体を良好に導入および搬送することができる。
【００２０】
突出部は、第１方向に直交する第２方向に間隔を空けて、一対設けられており、筐体には、第１方向において読取部の他方側において、第２方向において一対の突出部よりも外側の位置に設けられ、下搬送ガイドから上方に突出する第２突出部が形成されていてもよい。
【００２１】
この構成によれば、第２媒体の導入時に、一対の突出部により、第２媒体を第２方向の両側からガイドすることができる。そのため、第２媒体を第２導入口から良好に導入することができる。また、第２媒体が搬送途中で第１方向に対して斜行しても、第２媒体の先端部が第２突出部に当接することにより、そのカードの搬送方向が第１方向に沿うように修正される。よって、第２媒体の第１方向への良好な搬送を確保することができる。
【００２２】
本発明の他の局面に係る画像読取装置は、上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、前記共通搬送路において前記上搬送ガイドまたは前記下搬送ガイドに突出して設けられ、前記第１方向に延びる突出部と、を備える。
【００２３】
第１媒体および第２媒体がそれぞれ第１搬送路および第２搬送路を搬送される途中で、読取部により、第１媒体および第２媒体の画像が読み取られる。
【００２４】
画像読取装置は、溝部を備えている。溝部は、共通搬送路において上搬送ガイドまたは下搬送ガイドに凹んで形成され、第１方向に延びている。そのため、第２媒体を突出部に沿わせて第１方向に移動させることができる。これにより、第２媒体が第２導入口に挿入されるときに、第２媒体が第２導入口からずれたり、第２媒体の状態が第１方向に対して斜めになったりすることを抑制できる。その結果、第２媒体を第２導入口に良好に挿入することができる。
【００２５】
本発明のさらに他の局面に係る搬送装置は、上部筐体と下部筐体と、を備え、前記上部筐体の下面に形成される上搬送ガイドと、前記下部筐体の上面に形成される下搬送ガイドと、上搬送ガイドと下搬送ガイドとの間に形成され、第１媒体が第１方向の一方側へ搬送されるように構成される第１搬送路と、前記第１方向の前記一方側において上搬送ガイドと下搬送ガイドとの間に形成され、前記第１搬送路を搬送された前記第１媒体が排出されるように構成される第１排出口と、前記第１方向の前記一方側において前記第１搬送路と少なくとも一部重複して上搬送ガイドと下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において上搬送ガイドと下搬送ガイドとの間に形成され、前記第２媒体が前記第１方向の前記一方側から導入されるように構成される第２導入口と、が形成された筐体と、前記共通搬送路において前記上搬送ガイドまたは前記下搬送ガイドに突出して設けられ、前記第１方向に延びる突出部と、を備える。
【００２６】
この構成によれば、画像読取装置は、突出部を備えている。突出部は、共通搬送路において上搬送ガイドまたは下搬送ガイドから突出し、第１方向に延びている。そのため、第２媒体を突出部に沿わせて第１方向に移動させることができる。これにより、第２媒体が第２導入口に挿入されるときに、第２媒体が第２導入口からずれたり、第２媒体の状態が第１方向に対して斜めになったりすることを抑制できる。その結果、第２媒体を第２導入口に良好に挿入することができる。
【００２７】
本発明のさらに他の局面に係る搬送装置は、上部筐体と下部筐体と、を備え、前記上部筐体の下面に形成される上搬送ガイドと、前記下部筐体の上面に形成される下搬送ガイドと、前記上搬送ガイドと前記下搬送ガイドとの間に形成され、第１媒体が第１方向の一方側へ搬送されるように構成される第１搬送路と、前記第１方向の前記一方側において前記上搬送ガイドと前記下搬送ガイドとの間に形成され、前記第１搬送路を搬送された前記第１媒体が排出されるように構成される第１排出口と、前記第１方向の前記一方側において前記第１搬送路と少なくとも一部重複して前記上搬送ガイドと前記下搬送ガイドとの間に形成される共通搬送路を有し、前記第１媒体よりも幅狭の第２媒体が第１方向に搬送されるように構成される第２搬送路と、前記第１排出口と少なくとも一部重複して前記第１方向の前記一方側において前記上搬送ガイドと前記下搬送ガイドとの間に形成され、前記第２媒体が前記第１方向の前記一方側から導入されるように構成される第２導入口と、が形成された筐体と、前記共通搬送路において、前記上搬送ガイドまたは前記下搬送ガイドに凹んで設けられ、前記第２導入口に連接し、前記第１方向に延びる溝部と、を備える。
【００２８】
この構成によれば、画像読取装置は、溝部を備えている。溝部は、共通搬送路において上搬送ガイドまたは下搬送ガイドに凹んで形成され、第１方向に延びている。そのため、第２媒体を突出部に沿わせて第１方向に移動させることができる。これにより、第２媒体が第２導入口に挿入されるときに、第２媒体が第２導入口からずれたり、第２媒体の状態が第１方向に対して斜めになったりすることを抑制できる。その結果、第２媒体を第２導入口に良好に挿入することができる。
【発明の効果】
【００２９】
本発明によれば、第２媒体が第２導入口に挿入されるときに、第２媒体が第２導入口からずれたり、第２媒体の状態が第１方向に対して斜めになったりすることを抑制できる。その結果、第２媒体を第２導入口に良好に挿入することができる。
【図面の簡単な説明】
【００３０】
【図１Ａ】図１Ａは、本発明の一実施形態に係る画像読取装置１の左前上方から見た斜視図であり、カバー３が閉じられた状態を示す。
【図１Ｂ】図１Ｂは、画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバーが開かれるとともに、上部筐体１４がメンテナンス位置に配置された状態を示す。
【図４】図４は、画像読取装置１を右方から見て、画像読取装置１の内部構成を模式的に説明するための説明図である。
【図５】図５は、シート排出口２０２とカード導入口１２１とが少なくとも一部において重複していることを概略的に示すための説明図である。
【図６】図６は、画像読取装置１のカード導入口１２１の近傍の平面図である。
【図７】図７は、画像読取装置１の下部筐体１３におけるカード導入口１２１の近傍を概略的に示す説明図である。
【図８】図８は、図４に示される下部筐体１３を右方から見て、下部筐体１３における突出部１３１の近傍の構成を模式的に説明するための説明図である。
【図９】図９は、本発明の第２の実施形態に係る画像読取装置１を右方から見て、画像読取装置１の内部構成を模式的に説明するための説明図である。
【図１０】図１０は、図９に示される画像読取装置１のカード導入口１２１の近傍の平面図である。
【図１１】図１１は、図９に示される画像読取装置１の下部筐体１３におけるカード導入口１２１の近傍を概略的に示す説明図である。
【図１２】図１２は、本発明の第３の実施形態に係る画像読取装置１のカード導入口１２１の近傍の平面図である。
【図１３】図１３は、図１２に示される画像読取装置１の下部筐体１３におけるカード導入口１２１の近傍を概略的に示す説明図である。
【発明を実施するための形態】
【００３１】
以下では、本発明の第１の実施形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００３２】
＜外観＞
【００３３】
画像読取装置１は、筐体２およびカバー３を備えている。
【００３４】
＜筐体＞
【００３５】
筐体２は、左側板部１１、右側板部１２、下部筐体１３および上部筐体１４を備えている。
【００３６】
左側板部１１および右側板部１２は、左右方向に間隔を空けて配置されている。
【００３７】
下部筐体１３および上部筐体１４は、左側板部１１と右側板部１２との間に配置されている。
【００３８】
下部筐体１３は、左側板部１１および右側板部１２に対して固定されている。
【００３９】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００４０】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に一段凹んだ位置に位置する。
【００４１】
また、上部筐体１４は、メンテナンス位置で、下部筐体１３に対して前側に展開して、下部筐体１３の前端部上から前上方に延びる。
【００４２】
＜カバー＞
【００４３】
カバー３は、上カバー２１および前カバー２２を備えている。
【００４４】
上カバー２１の基端部は、筐体２の左側板部１１および右側板部１２の後上端部に回動可能に支持されている。これにより、上カバー２１は、図１Ａおよび図１Ｂに示される閉位置と図２に示される開位置との間で回動可能に設けられている。
【００４５】
上カバー２１は、閉位置で、下部筐体１３および上部筐体１４に上方から重なる。
【００４６】
また、上カバー２１は、開位置で、筐体２の後上端部から後上方に延びる。
【００４７】
前カバー２２は、図１Ａに示される屈曲位置と図２に示される伸張位置との間で回動可能に設けられている。
【００４８】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。シートＳＨは、例えば、用紙やＯＨＰシート等である。
【００４９】
下部筐体１３の後端縁３１は、下部筐体１３の前端縁３２よりも高い位置に位置している。下部筐体１３は、図３および図４に示されるように、傾斜部３３と平坦部３４とを有している。傾斜部３３は、後端縁３１から前端縁３２と同じ高さの位置まで前下方に延びる。平坦部３４は、前端縁３２と同じ高さの位置で、傾斜部３３から前端縁３２まで延びる。
【００５０】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部７４は、前端縁７２と同じ高さの位置で、傾斜部７３から前端縁７２まで下部筐体１３の平坦部３４と平行をなして延びる。
【００５１】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００５２】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００５３】
画像読取装置１は、供給ローラ４１、分離片８１、ＬＦローラ４２、ＬＦピンチローラ８２、カードＬＦローラ４３、カードＬＦピンチローラ８３、排出ローラ４４、排出ピンチローラ８４、カード排出ローラ４５およびカード排出ピンチローラ８５を備えている。
【００５４】
供給ローラ４１は、図３に示されるように、２つのローラを備える。供給ローラ４１の２つのローラは回転軸５１に取り付けられている。供給ローラ４１は、傾斜部３３の左右方向の中央部に配置されている。回転軸５１は、下部筐体１３の内部で左右方向に延び、下部筐体１３に回転可能に保持されている。
【００５５】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である。
【００５６】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００５７】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９１に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００５８】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２およびコンタクトガラス６３を備える。
【００５９】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００６０】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００６１】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００６２】
ＬＦローラ４２およびＬＦピンチローラ８２により搬送されるシートＳＨの両面の画像は、第１読取部１００および第２読取部６０により読み取られる。
【００６３】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００６４】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。
【００６５】
＜カード搬送路＞
【００６６】
画像読取装置１では、シートＳＨよりも幅狭の第２媒体の一例としてのカードＣＡに描かれている画像を読み取ることができる。カードＣＡは、用紙等よりも幅狭で肉厚な媒体である。カードＣＡは、たとえば、名刺、キャッシュカード、会員証又は免許証等である。
【００６７】
カードＣＡの画像の読み取りのために、図２に示されるように、第２導入口の一例としてのカード導入口１２１がシート排出口２０２におけるカード排出ローラ４５およびカード排出ピンチローラ８５と前後方向に重なる部分に形成されている。本実施形態において、カード導入口１２１の下側の一部が、図５に示すように、シート排出口２０２の右側の一部と重複している。すなわち、シートＳＨおよびカードＣＡの両方が、この重複部分ＯＬを通過可能である。下部筐体１３の上面１３Ｕの平坦部３４は、シートＳＨの下面をガイドする下搬送ガイドとして形成されている。上部筐体１４の下面１４Ｂの平坦部７４は、シートＳＨの上面をガイドする上搬送ガイドとして形成されている。カード導入口１２１は、下部筐体１３の上面１３Ｕおよび上部筐体１４の下面１４Ｂの各前端部がそれぞれ上方および下方に矩形状に切り欠かれることにより、上下方向にシート排出口２０２よりも大きな幅を有している。また、カード導入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも大きく、その長辺の長さ（８５．６０ｍｍ）よりも小さい。
【００６８】
第２搬送路の一例としてのカード搬送路１２４が、下部筐体１３の上面１３Ｕの平坦部３４と上部筐体１４の下面１４Ｂの平坦部７４との間の空間および下部筐体１３における上面１３Ｕの傾斜部３３の下方の空間に形成されている。
【００６９】
また、下部筐体１３の上面１３Ｕの平坦部３４と上部筐体１４の下面１４Ｂの平坦部７４との間の空間は、シートおよびカードの両方が搬送される共通搬送路１２５である。共通搬送路１２５は、カード搬送路１２４のうち、シート搬送路２０３の右側の一領域である。すなわち、カード搬送路１２４は、共通搬送路１２５において、シート搬送路２０３と重複している。
【００７０】
図３および図４に示されるように、カード通過口１２２が下部筐体１３の傾斜部３３の前下端部と平坦部３４との間において、カード導入口１２１と前後方向に重なる位置に形成されている。
【００７１】
カード搬送路１２４の前端部は、カード導入口１２１に接続されている。また、カード通過口１２２は、カード搬送路１２４の途中に設けられている。共通搬送路１２５は、カード通過口１２２により、下部筐体１３の傾斜部３３の下方の空間と連通している。したがって、カード通過口１２２を通して、カードＣＡは、共通搬送路１２５と下部筐体１３の傾斜部３３の下方とを行き来することができる。
【００７２】
頭出し開口１２８は、下部筐体１３の後面１３Ｒに、後方に開放して形成されている。
【００７３】
＜突出部＞
【００７４】
画像読取装置１は、図６、図７および図８に示されるように、平坦部３４に突出して設けられ、第１方向の一例としての前後方向に延びる一対の突出部の一例としての第１突出部１３１を備えている。
【００７５】
一対の第１突出部１３１は、図４、図７および図８に示されるように、下部筐体１３の上面１３Ｕの平坦部３４の右前端部に、その平坦部３４から上方に突出している。一対の第１突出部１３１は、図６および図７に示されるように、左右方向に間隔を空けて形成されている。左側の第１突出部１３１は、カード導入口１２１の左側に位置している。右側の第１突出部１３１は、カード導入口１２１の右側に位置している。一対の第１突出部１３１の間隔は、国際規格ＩＤ−１のカードサイズの短辺の長さよりも大きく、そのカードサイズの長辺の長さよりも小さい。
【００７６】
各第１突出部１３１は、前後方向に延びている。図８に示されるように、前後方向の中央部１３３で平坦部３４からの突出量Ｐ１が最も大きく、一方側の端部の一例である前端部１３４で平坦部３４からの突出量Ｐ２および他方側の端部の一例である後端部１３５で平坦部３４からの突出量Ｐ３が突出量Ｐ１よりも小さいように形成されている。各第１突出部１３１の上面１３２は、側面視で上方に膨出する円弧状に形成されている。各第１突出部１３１の後端部１３５の上面は、前側ほど低い位置に位置し、他方側の端縁の一例であるその後端縁１３６は、ＣＩＳホルダ６１の前端縁およびコンタクトガラス６３の上面６３Ｕとほぼ同じ高さの位置に位置している。
【００７７】
平坦部３４の前端部、つまり平坦部３４のＣＩＳホルダ６１よりも前側に位置する部分は、前側ほど下方に位置するように前下がりに傾斜している。そのため、各第１突出部１３１の上面１３２は、前側ほど低い位置に位置している。
【００７８】
また、筐体２には、図３に示されるように、第１方向の一例である前後方向において読取部の一例であるＣＩＳユニット６２およびコンタクトガラス６３の他方側である後側において、第２方向の一例としての左右方向において一対の突出部の一例である第１突出部１３１よりも外側の位置に設けられ、平坦部３４から上方に突出する第２突出部１４１が形成されている。
【００７９】
具体的には、第２突出部１４１は、一対設けられている。一対の第２突出部１４１は、平坦部３４におけるＣＩＳホルダ６１よりも後側に位置する部分であって、カード通過口１２２の左右方向の両端部と前後方向に重なる位置に、その平坦部３４から上方に突出し、前後方向に延びている。一対の第２突出部１４１の間隔は、一対の第１突出部１３１の間隔よりも広い。
【００８０】
＜シート画像の読み取り＞
【００８１】
画像読取装置１におけるシートＳＨの画像の読み取りの際には、図２および図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。そして、非図示の読取ボタン等がユーザに押されると、供給ローラ４１等が右側から見て反時計回りに回転され、シートＳＨの画像の読取が実行される。
【００８２】
トレイ上に載置されるシートＳＨは、その先端部が供給ローラ４１および分離片８１に当接するまで、シート導入口２０１内に差し込まれる。
【００８３】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２およびＬＦピンチローラ８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００８４】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３の周面の当接部分に到達すると、ＬＦローラ４２およびカードＬＦローラ４３により、シートＳＨに搬送力が付与される。
【００８５】
ＬＦローラ４２とＬＦピンチローラ８２との間およびカードＬＦローラ４３とカードＬＦピンチローラ８３との間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【００８６】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００８７】
排出ローラ４４と排出ピンチローラ８４との間およびカード排出ローラ４５とカード排出ピンチローラ８５との間を搬送されるシートＳＨは、シート排出口２０２を通過して、筐体２外に排出される。
【００８８】
＜カード画像の読み取り＞
【００８９】
カードＣＡの画像の読み取りの際には、カードＣＡがカード導入口１２１に挿入される。このとき、カードＣＡが一対の第１突出部１３１の間に配置される。その後、カードＣＡは、カード排出ローラ４５およびカード排出ピンチローラ８５の周面の間に引き込まれる。このカードＣＡの導入時、カードＣＡは、左右方向の両端縁が各第１突出部１３１にガイドされる。
【００９０】
なお、カードＣＡがカード導入口１２１に挿入されるときに、第１突出部１３１がカードＣＡに常に接触している必要はない。このときのカードＣＡのガイドの概念には、たとえば、カードＣＡがカード導入口１２１に挿入されるときに、カードＣＡが第１突出部１３１から左右方向に離脱することを規制する程度が含まれる。
【００９１】
カード導入口１２１内にカードＣＡが挿入されると、カード排出ローラ４５が右側から見て時計回りに回転される。カード排出ピンチローラ８５は、カード排出ローラ４５の回転に伴って、右側から見て反時計回りに回転する。カード排出ローラ４５からカードＣＡに搬送力が付与される。
【００９２】
その後、カードＣＡは、第１読取部１００と第２読取部６０との間を通過する。
【００９３】
カードＬＦローラ４３は、カード排出ローラ４５の回転開始と同時に、右側から見て時計回りに回転される。カードＬＦピンチローラ８３は、カードＬＦローラ４３の回転に伴って、右側から見て反時計回りに回転する。第１読取部１００と第２読取部６０との間を通過したカードＣＡの先端部がカードＬＦローラ４３の周面とカードＬＦピンチローラ８３の周面との間に到達すると、カードＬＦローラ４３からカードＣＡに搬送力が付与される。
【００９４】
カードＣＡがカード通過口１２２を通過し、カードＣＡの先端部の反対側である後端部がカードＬＦローラ４３の周面とカードＬＦピンチローラ８３の周面との間に挟持される位置まで、カードＣＡの搬送が進むと、カードＬＦローラ４３およびカード排出ローラ４５の回転が停止される。カードＬＦローラ４３およびカード排出ローラ４５の回転が停止されると、カードＣＡは頭出し開口１２８からその先端部が頭出しされた状態で一時停止される。頭出し開口１２８は、下部筐体１３の後面１３Ｒにおけるカード通過口１２２と前後方向に重なる位置に形成されている。
【００９５】
その後、カードＬＦローラ４３およびカード排出ローラ４５が右側から見て反時計回りに回転される。カードＬＦピンチローラ８３およびカード排出ピンチローラ８５は、右側から見て時計回りに回転する。これにより、カードＣＡは、その搬送方向が反転され、後側から前側に向かう方向に搬送される。
【００９６】
カードＣＡは、第１読取部１００および第２読取部６０の間を通過する。このとき、カードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。また、カード搬送路１２４を搬送されるカードＣＡがその搬送途中で前後方向に対して斜行しても、カードＣＡの先端部が第２突出部１４１に当接することにより、そのカードＣＡの搬送方向が前後方向に沿うように修正される。
【００９７】
第１読取部１００および第２読取部６０の間を通過したカードＣＡの先端部がカード排出ローラ４５の周面とカード排出ピンチローラの８５の周面との当接部分に到達すると、カード排出ローラ４５からカードＣＡに搬送力が付与され、そのカードＣＡがカード排出ローラ４５の周面とカード排出ピンチローラ８５の周面との間に引き込まれる。そして、カード排出ローラ４５とカード排出ピンチローラ８５との間を搬送されるカードＣＡは、カード導入口１２１を通過して、筐体２外に排出される。
【００９８】
このように、カード導入口１２１から導入されたカードＣＡは、筐体２内をスイッチバック搬送され、カード導入口１２１から排出される。
【００９９】
＜作用効果＞
【０１００】
以上のように、画像読取装置１は、第１突出部１３１を備えている。第１突出部１３１は、共通搬送路１２５において平坦部３４から突出し、前後方向に延びている。そのため、カードＣＡを第１突出部１３１に沿わせて前後方向に移動させることができる。これにより、カードＣＡがカード導入口１２１に挿入されるときに、カードＣＡがカード導入口１２１からずれたり、カードＣＡの状態が前後方向に対して斜めになったりすることを抑制できる。その結果、カードＣＡをカード導入口１２１に良好に挿入することができる。
【０１０１】
カードＣＡは、平坦部３４上を平坦部３４に接触して移動する。そのため、平坦部７４に第１突出部１３１が設けられた構成では、第１突出部１３１が平坦部３４上のカードＣＡの上面よりも下方まで延びる必要がある。これに対し、第１突出部１３１が平坦部３４に設けられる構成では、第１突出部１３１が平坦部３４からわずかでも突出していればよい。よって、第１突出部１３１が平坦部３４に設けられる構成では、第１突出部１３１が平坦部７４に設けられる構成と比較して、第１突出部１３１の高さを小さくすることができる。
【０１０２】
第１突出部１３１の後端部１３５は、前側ほど低い位置に位置し、第１突出部１３１の後端縁１３６は、コンタクトガラス６３の上面６３Ｕと同じ高さに位置している。
【０１０３】
これにより、前側へ搬送されるシートＳＨが第１突出部１３１に衝突することを抑制できる。また、そのシートＳＨが第１突出部１３１の後端部１３５の上面に沿って前側へ進むほど下方に向くので、シートＳＨのスムーズな排出を確保することができる。
【０１０４】
第１突出部１３１の前端部１３４は、平坦部３４に対する突出量Ｐ３が前側ほど小さい。また、平坦部３４は、前端部が後端部よりも低くなるように傾斜している。これにより、シートＳＨが平坦部３４に沿ってスムーズに排出される。
【０１０５】
第１突出部１３１は、左右方向に間隔を空けて、一対設けられている。そして、筐体２には、ＣＩＳユニット６２の後側において、左右方向において一対の第１突出部１３１よりも外側の位置に、平坦部３４から上方に突出する第２突出部１４１が形成されている。
【０１０６】
この構成によれば、カードＣＡの導入時に、一対の第１突出部１３１により、カードＣＡを左右方向の両側からガイドすることができる。そのため、カードＣＡをカード導入口１２１から良好に導入することができる。また、カードＣＡが搬送途中で前後方向に対して斜行しても、カードＣＡの先端部が第２突出部１４１に当接することにより、そのカードＣＡの搬送方向が前後方向に沿うように修正される。よって、カードＣＡの前後方向への良好な搬送を確保することができる。
【０１０７】
以下、本発明の第２の実施形態について、添付図面を参照しつつ詳細に説明する。第１の実施形態と共通の構成については同一の符号を付す。
【０１０８】
＜溝部＞
【０１０９】
前述の第１突出部１３１に代えて、図９、図１０および図１１に示されるように、画像読取装置１は、溝部１５１を備えていてもよい。溝部１５１は、共通搬送路１２５において、平坦部３４に凹んで設けられる。溝部１５１は、第２導入口の一例としてのカード導入口１２１に連接する。溝部１５１は、第１方向の一例としての前後方向に延びる。
【０１１０】
具体的には、溝部１５１は、下部筐体１３の上面１３Ｕである平坦部３４の右前端部に形成されている。溝部１５１は、図１１に示されるように、平坦部３４に対して下方に凹んでいる。溝部１５１の底面１５２は、前側ほど下方に位置するように前下がりに傾斜している。溝部１５１の左側面１５３は、図１０に示されるように、カード導入口１２１の左側に位置している。溝部１５１の右側面１５４は、カード導入口１２１の右側に位置している。溝部１５１の左右方向の幅、つまり左側面１５３と右側面１５４との間隔は、国際規格ＩＤ−１のカードサイズの短辺の長さよりも大きい。
【０１１１】
カードＣＡがカード導入口１２１に挿入されるときには、カードＣＡが溝部１５１内に配置される。その後、カードＣＡは、カード排出ローラ４５の周面とカード排出ピンチローラ８５の周面との間に引き込まれる。このカードＣＡの導入時、カードＣＡは、左右方向の両端縁がそれぞれ溝部１５１の左側面１５３および右側面１５４にガイドされる。
【０１１２】
これにより、カードＣＡがカード導入口１２１に挿入されるときに、カードＣＡがカード導入口１２１からずれたり、カードＣＡの状態が前後方向に対して斜めになったりすることを抑制できる。その結果、カードＣＡをカード導入口１２１に良好に挿入することができる。
【０１１３】
＜延出部＞
【０１１４】
前述の構成では、ＣＩＳホルダ６１は、平坦部３４に矩形状の形成された開口６４に嵌められているとした。
【０１１５】
この構成に代えて、図１２および図１３に示す構成が採用されてもよい。図１２および図１３に示される構成では、切欠１６１が平坦部３４の前端部における左右方向にカード導入口１２１と同じ位置に形成されている。切欠１６１は、平坦部３４の上面から下方に凹んで形成されている。切欠１６１は、開口６４の前端から下部筐体１３の上面１３Ｕの前端縁３２まで前後方向に延びて形成されている。
【０１１６】
ＣＩＳホルダ６１は、開口６４に嵌められる本体部１６２と、左右方向においてカード導入口１２１と同じ位置に前側に延出する延出部１６３とを備えている。延出部１６３は、切欠１６１に嵌められている。延出部１６３の上面は、平坦部３４の前端部と同一面内に配置される。
【０１１７】
一対の第１突出部１３１は、平坦部３４における切欠１６１の左右方向の外側に配置されている。
【０１１８】
この構成によれば、カードＣＡがカード導入口１２１に挿入されるときに、カードＣＡは、一対の第１突出部１３１間において、ＣＩＳホルダ６１の延出部１６３上に配置される。これにより、カードＣＡの平坦部３４とＣＩＳホルダ６１との間における引っ掛かりを抑制しつつ、カードＣＡを良好に導入および搬送することができる。
【０１１９】
＜変形例＞
【０１２０】
以上、本発明のいくつかの実施形態について説明したが、本発明は、さらに他の形態で実施することもできる。
【０１２１】
たとえば、一対の第１突出部１３１が備えられた構成を取り上げた。しかしながら、一方の第１突出部１３１は、省略されてもよい。この場合、第１突出部１３１は、シート排出口２０２の右端縁からの距離が国際規格ＩＤ−１のカードサイズの短辺の長さ以上でそのカードサイズの長辺の長さ未満である位置に配置されることが好ましい。第１突出部１３１がそのような位置に配置されることにより、カードＣＡがその長辺をカード導入口１２１に沿わせた向きでカード導入口１２１に挿入されることを抑制できる。
【０１２２】
また、第１突出部１３１が平坦部３４に形成された構成を取り上げたが、突出部は、平坦部７４に形成されてもよい。この場合、突出部は、カード導入口１２１に対して左右方向の外側に形成され、カード導入口１２１内で平坦部３４上に載置されたカードＣＡの上面よりも下方まで延びる。
カードＬＦピンチローラ８３は、２つのピンチローラを備え、カードＬＦピンチローラ８３の２つのピンチローラの周面は、それぞれ下部筐体１３のカードＬＦローラ４３の周面に左側および右側に微小な間隔を空けて隣接していた。しかし、これに限らず、例えば、カードＬＦピンチローラ８３は、１つのピンチローラからなり、ピンチローラの周面が、下部筐体１３のカードＬＦローラ４３の周面に上方から当接していてもよい。
【０１２３】
カード導入口１２１の下側の一部が、シート排出口２０２の右側の一部と重複していた。しかし、これに限らず、例えば、シート排出口２０２の右側の一部がカード導入口１２１であってもよい。すなわち、カード導入口１２１の全領域がシート排出口２０２に右側において含まれていてもよい。共通搬送路１２５は、カード搬送路１２４のうち、シート搬送路２０３の右側の一領域であった。しかし、これに限らず、たとえば、共通搬送路１２５の下側の一部が、シート搬送路２０３の右側の一部と重複していてもよい。
【０１２４】
その他、前述の構成には、特許請求の範囲に記載された事項の範囲で種々の設計変更を施すことが可能である。
【符号の説明】
【０１２５】
１      画像読取装置
２      筐体
３４    平坦部
６１    ＣＩＳホルダ
６２    ＣＩＳユニット
６３    コンタクトガラス
６３Ｕ  上面
７４    平坦部
１２１  カード導入口
１２４  カード搬送路
１２５  共通搬送路
１３１  第１突出部
１３２  上面
１３４  前端部
１３５  後端部
１３６  後端縁
１４１  第２突出部
１５１  溝部
１６３  延出部
２０１  シート導入口
２０２  シート排出口
２０３  シート搬送路
ＣＡ    カード
ＳＨ    シート
【図１Ａ】
2014099824.tif 000003
【図１Ｂ】
2014099824.tif 000004
【図２】
2014099824.tif 000005
【図３】
2014099824.tif 000006
【図４】
2014099824.tif 000007
【図５】
2014099824.tif 000008
【図６】
2014099824.tif 000009
【図７】
2014099824.tif 000010
【図８】
2014099824.tif 000011
【図９】
2014099824.tif 000012
【図１０】
2014099824.tif 000013
【図１１】
2014099824.tif 000014
【図１２】
2014099824.tif 000015
【図１３】
2014099824.tif 000016